(57)【特許請求の範囲】
【請求項１】
引手は連結体４と引手本体１３とからなり、連結体４は引手連結環５の一部に取付板６を一体に設け、引手連結環５の内周から取付板６に連通して取付板６を分割するスリット７を設け、該スリット７は引手取付部３の肉厚よりも小さい口径で形成して連結体４に弾性を具備させ、取付板６に先端が取付板６面より突出する係止舌片８を設け、引手本体１３は取付板６を収容できる収容部１４を設けるとともに、収容部１４に透孔１７または凹溝１８の係止舌片８を係止できる係止部１６を対設し、取付板６と引手本体１３とを連結可能に形成したことを特徴とするスライドファスナー用スライダーの引手。
【発明の詳細な説明】
【０００１】
【発明の属する技術分野】
この発明は、スライドファスナー用スライダーにおいて、スライダー胴体に対し、引手を取り付けまたは取り外すことができる引手後付けタイプのスライドファスナー用スライダーの引手に関するものである。
【０００２】
【従来の技術】
従来、引手は美しい装飾を施したものや、特殊なマークまたは文字を表示したものが存在し、顧客の要望に合わせてスライダー胴体へ取り付ける。たとえばスライダー胴体と引手取付部との間に引手が挿入できる間隙を設けたスライダーを予め用意しておき、顧客より指定された引手を間隙から挿入して取り付け、間隙は引手取付部を塑性変形させて閉塞する。このタイプのスライダーは、引手取付部が片持ち形状であるため、引手に過剰な力が働くと引手取付部が拡開し変形して引手が抜脱する問題がある。
【０００３】
この問題を解決するには、引手取付部と胴体との間に間隙を設けずに、一体に形成するのが好ましい。そこで考えられたのが、図８に示すように引手取付部と胴体との間に間隙を有さない胴体に対して、後から引手を取り付けることができるスライダーが、実開昭６４−４３７０７号公報に開示されている。
【０００４】
【発明が解決しようとする課題】
前項で述べた図８に示したスライドファスナー用スライダーは、引手をスライダー胴体へクランパーを用いて取り付けるが、このクランパーは弾性を備えた材料で形成し、クランパーにはスライダー胴体の引手取付部と引手における環状の取付部を挿通させるためにスリットを設け、クランパーを弾性変形させてスリットの間隔を広げて引手取付部に挿通した後、引手の環状の取付部をスリットの間隔を広げて装着し、スリットが弾性復帰することによってスライダー胴体と引手とを連結する。この形態のスライダーであると、引手を引っ張った時または捻った時にクランパーが容易に変形し、スリットを拡開して引手がクランパーから抜脱してしまう問題があった。
【０００５】
この発明は、上述の問題点を考慮して発明されたものであり、この発明の請求項１記載の発明は、スライダーにおける引手取付部がスライダー胴体に完全に固定された形態のスライダーにおいて、引手を後付け操作で連結するのに、引手と胴体を連結する連結体を弾性変形させることによって、簡易に引手を胴体に取り付けることができ、連結に際しては、取付板に先端が取付板面より突出する係止舌片を設け、他方取付板を収容する収容部に透孔または凹溝の係止部を対設することによって、容易に取付板と引手本体とを連結し、しかも引手の交換も自由自在にでき、そのうえ連結体は引手本体に収容固定され、長期の使用に耐えられるスライドファスナー用スライダーの引手を提供することが主たる目的である。
【０００６】
【課題を解決するための手段】
前記の目的を達成するため、この発明の請求項１記載の発明は、スライドファスナー用スライダーにおいて、引手２は連結体４と引手本体１３とからなり、連結体４は引手連結環５の一部に引手本体取付用の取付板６を一体に設け、引手連結環５の内周から取付板６に連通して取付板６を分割するスリット７を連結体４に設け、スリット７は引手案内部３における肉厚すなわち幅、厚さよりも小さい口径で形成し、連結体４に弾性を具備させ、取付板６には引手本体１３に係止できる係止舌片８を設け、係止舌片８の先端は取付板６の板面より突出する形に設け、引手本体１３は取付板６との接続側に取付板６を収容できる収容部１４を設けるとともに、収容部１４に透孔１７または凹溝１８を設けて係止舌片８を係止できる係止部１６を係止舌片８と対向させる形に設け、連結体４の取付板６と引手本体１３とを一体に連結できる形に形成したスライドファスナー用スライダーの引手を主な構成とするものである。
【０００７】
【発明の実施の形態】
以下、この発明のスライドファスナー用スライダーの引手の実施の形態について、図面を参照しながら具体的に説明する。
【０００８】
この発明のスライドファスナー用スライダーの引手は、スライダー胴体１の上翼板２３の上面に取付レバーの両端を固定した引手取付部３に対し、連結体４と引手本体１３を組み合わせて引手２を形成し、引手取付部３に取り付ける。従って、この引手２はスライダーの胴体１上に一体に形成した引手取付部３に対し、後付け操作によって取り付ける。
【０００９】
図１〜４に示すスライダーの実施例は、引手本体１３をスライダー胴体１の引手取付部３に取り付けるために連結体４を用いて連結し、連結体４は環状の引手連結環５の一側に取付板６を一体に設け、引手連結環５から取付板６の中央に直線状のスリット７を設け、さらにこのスリット７の両側に係止舌片８を形成するためフック状のスリット７′をスリット７に連設することにより、係止舌片８を形成する。係止舌片８は基部９が取付板６に連結し、先端が撓み変形可能な自由端部１０に形成するとともに、自由端部１０は図２に示すように取付板６の表面から突出状に屈折する形に設ける。取付板６の両側縁には引手本体１３との連結を容易にするためガイド面となる段差部１１が形成されている。この連結体４はスチール板をプレス加工によって形成するのが、弾性を具備するのに都合がよい。
【００１０】
一方連結体４の取付板６と連結する引手本体１３は、図２に示すように連結体４と連結する側が分厚く形成し、この分厚い部分に取付板６の断面形状に略合致して開口する開口部１５を設け、奥行きが取付板６の段差部１１までが収容できる大きさの方形状の収容部１４を形成する。この収容部１４の表裏のいずれか一面に四角状の透孔１７を穿孔し、この透孔１７が取付板６を収容したとき、取付板６に屈設した係止舌片８の自由端部１０が係止できる係止部１６を形成する。引手本体１３は亜鉛合金などの金属を用いてダイキャスト成形によって種々の形態の引手本体１３に成形するのが美しい引手２に仕上げるのに好都合である。
【００１１】
引手２を組み立てるには、まず図４に示すようにスライダー胴体１の引手取付部３に対し、連結体４における取付板６のスリット７によって相反する方向、たとえば一方側の取付板６と、他方側の取付板６とを弾性変形により上下方向に変位させて挿入することにより、連結体４の環状の引手連結環５を引手取付部３へ取り付ける。次に引手取付部３に取り付けられた連結体４に対し、引手本体１３を接続するが、取付板６に屈設した係止舌片８の自由端部１０が透孔１７の係止部１６と対応する形で収容部１４の開口部１５から取付板６を差込み、係止部１６に係止舌片８の自由端部１０を係止させることによって、連結体４と引手本体１３とを連結し、スライダー胴体１に引手２を装着する。
【００１２】
また連結体４の取付板６に係止した引手本体１３、あるいは引手取付部３に取り付けた連結体４を取り替えたいときは、透孔１７から係止舌片８を押圧して係止舌片８を透孔１７から退避させれば取付板６は引手本体１３の収容部１４から簡単に抜脱させることができる。さらに連結体４を引手取付部３から取り外したいときは、引手本体１３を外した連結体４の取付板６をスリット７を利用して上下相反する方向へ押圧して弾性変形させながら引手取付部３から取り外せば、引手２を簡単に交換することができる。
【００１３】
なお、連結体４の取付板６に設ける係止舌片８をスリット７の両側で上下相反する方向へ屈折するとともに、引手本体１３の収容部１４に形成する係止部１６としての透孔１７を収容部１４の上下両面に形成して、係止舌片８と係止部１６とを係止固定させてもよい。また透孔１７の代わりに凹溝１８タイプの係止部１６に形成してもよい。
【００１４】
次に図５、６に示す実施例は、引手連結環５と引手本体１３との連結機構の変形例を示すものであり、引手連結環５の取付板６に設ける係止舌片8 は、取付板６の両外側縁に設け、たとえば取付板６の側縁からフック状のスリット７′を設けることによって係止舌片８を形成し、この係止舌片８の基部９は取付板６に連結された形であり、他端の自由端部１０は、それぞれ上下相反する方向へ突出し屈折する形に設ける。
【００１５】
また引手本体１３に形成する収容部１４は、引手連結環５を連結する側に取付板６が差込むことができる開口部１５を備え、また奥行きは取付板６の段差部１１までが収容できる大きさに形成するとともに、取付板６を収容した際、係止舌片８が当接する収容部１４の上下内面に凹状の凹溝１８を収容部１４の全幅にわたって設け、係止舌片８の自由端部１０が係止できる係止部１６を形成する。なお引手本体１３は前例と同様に亜鉛合金などによるダイキャスト成形で形成する。
【００１６】
引手２の組立ては、引手本体１３に形成した収容部１４へ連結体４の取付板６を差込み、係止舌片８の自由端部１０を凹溝１８の係止部１６に係止させ固定させれば引手２は完成する。
【００１７】
なお、連結体４の取付板６に設ける係止舌片８をスリット７の左右で同一方向へ屈設し、収容部１４の片面に形成した凹溝１８の係止部１６に係止させてもよい。また凹溝１８の代わりに透孔１７を設けて係止舌片８を係止してもよい。
【００１８】
最後に図７に示す実施例について説明すると、連結体４の取付板６を収容する引手本体１３の収容部１４の変形例を示すものであり、収容部１４の形態は第１実施例と略同一であり、異なる構成は収容部１４の底部の中央に取付板６に設けたスリット７の大きさに相当し、開口部１５側へ突出する突出部２０を設けたことである。この突出部２０の配設は取付板６を差し込んだ際、取付板６に設けたスリット７に突出部２０が嵌入するので取付板６との間がたつきが生じず安定した状態で連結できる。
【００１９】
【発明の効果】
この発明のスライドファスナー用スライダーの引手は、以上説明したとおりの構成であり、この構成によって下記の効果を奏するものである。
【００２０】
この発明の請求項１記載の発明は、引手が連結体と引手本体とからなり、連結体は引手連結環の一部に取付板を一体に設け、引手連結環の内周から取付板に連通して取付板を分割するスリットを設け、該スリットは引手取付部の肉厚よりも小さい口径で形成して連結体に弾性を具備させ、取付板に先端が取付板面より突出する係止舌片を設け、引手本体は取付板を収容できる収容部を設けるとともに、収容部に透孔または凹溝の係止舌片を係止できる係止部を対設し、取付板と引手本体とを連結可能に形成したことによって、下記の効果を奏する。
【００２１】
この発明は、引手を後付け操作により胴体に固定された引手取付部に取り付ける際、引手連結環の取付板をスリットにより左右の取付板を簡単に相反する方向へ弾性変形させることができるから、連結体の引手取付部への取り付けが簡単に行うことができ、また取付板に設けた係止舌片を引手本体の収容部に差込み係止するので、引張りや捻りなどの外力に対して連結体と引手本体とが容易に分離することなく連結でき、かつ連結体と引手本体との係止機構である係止舌片あるいは係止部をきわめて簡単な構造で取付板あるいは収容部に形成し、確実に係止できる効果があるなど、この発明が奏する効果はきわめて顕著である。
【図面の簡単な説明】
【図１】  スライドファスナー用スライダーの引手を備えたスライダーを一部破断した正面図である。
【図２】  同上引手を備えたスライダーを一部破断した側面図である。
【図３】  同上引手を備えたスライダーの分解した正面図である。
【図４】  同上引手を備えたスライダーにおける連結体を胴体に取り付ける態様を示す正面図である。
【図５】  同上引手を備えたスライダーの連結体の変形例を示す正面図である。
【図６】  同上引手を備えたスライダーにおける引手本体の変形例を示す一部破断した正面図である。
【図７】  同上引手を備えたスライダーにおける引手本体の変形例を示す一部破断した正面図である。
【図８】  公知のスライドファスナー用スライダーの引手の斜視図である。
【符号の説明】
１        スライダー胴体
３        引手取付部
４        連結体
５        引手連結環
６        取付板
７        スリット
８        係止舌片
９        基部
１０        自由端部
１３        引手本体
１４        収容部
１６        係止部
１７        透孔
１８        凹溝
２０        突出部
【図１】
0003733311.tif 000002
【図２】
0003733311.tif 000003
【図３】
0003733311.tif 000004
【図４】
0003733311.tif 000005
【図５】
0003733311.tif 000006
【図６】
0003733311.tif 000007
【図７】
0003733311.tif 000008
【図８】
0003733311.tif 000009